(57)【要約】【課題】保持具を簡単な構造で着脱可能とした吸着ホルダであって、着脱操作を容易にして保持具の洗浄及び交換作業を容易にするとともに、着脱操作等の際の変形の発生を抑制した吸着ホルダを提供することである。【解決手段】吸着基台１００と、結合体２００と、吸着基台１００のうちがわに真空吸着具が設けられ、結合体２００に弾撥部材が形成されてその上端を押しボタン部と成し、その下方に係合溝１２１が設けられ、その下に段差１５０を形成し、該段差１５０の下方を、保持具３００の結合受け部３１０に挿入する結合片１１０とする。【選択図】　　　　図１
0003099941.tif 000002
【実用新案登録請求の範囲】
【請求項１】
略皿状に形成され、その中心に矩形開口が穿設された吸着基台と、該吸着基台の下部に垂下された結合片と、該結合片に上辺及び左右両辺を切り離して形成され、上端を押しボタン部と成し、押しボタン部の下方に係合部が形成された保持具が連結される連結部と、裏面に断面矩形の押圧ピンが突設され、該押圧ピンが上記吸着基台の矩形開口に挿入された真空吸着具とから成ることを特徴とする吸着ホルダ。
【請求項２】
吸着基台の一方の面が凹面に形成され、この凹面側に真空吸着具が配設されており、該真空吸着具の吸着面と反対側の中心に断面矩形の押圧ピンが突設され、上記吸着基台の矩形開口に該押圧ピンが挿入され、上記押圧ピンの先端に固定爪がヒンジ結合され、該固定爪が起倒されることにより、上記真空吸着具の吸着面を取付面に押圧又は離脱させることを特徴とする請求項１記載の吸着ホルダ。
【考案の詳細な説明】
【０００１】
【考案の属する技術分野】
本考案は、壁などに吸着させて取り付ける吸盤を備え、洗面用具や厨房用品等を保持する各種保持具を着脱自在に装着する吸着ホルダに関する。
【０００２】
【従来の技術】
一般に、家庭や事務所等で空間の利用効率を高めるために、石鹸、歯ブラシ、歯磨き、剃刀等の各種洗面用具、又は束子、スプーン、玉杓子、泡立て器等の各種厨房用品等を差したり、収納するなどして支持する箱状体等の各種保持具を壁面等の平面に取り付けて各種の物品を支持することが行われている。
特に、タイル等で処理された平坦で滑らかな壁面等に各種保持具を取付ける場合は、壁面を保護する為に吸盤（真空吸着具）を備え、各種保持具を連結した吸着ホルダの吸盤を壁面等に吸着させることが多く行われている。
【０００３】
【考案が解決しようとする課題】
しかしながら、上記従来の吸着ホルダと保持具の連結構造においては、吸着ホルダと保持具とが一体に形成されており、容易に離脱できる構造ではなく、保持具を洗浄するときは、吸着ホルダと保持具の全体を外して吸着ホルダと保持具を一緒に洗浄する必要があり、綺麗に洗浄することが困難であるとともに、保持具のみの軽い損傷であっても、吸着ホルダ及び保持具の全体を交換しなくてはならず、不経済であるという問題があった。
また、無理に取り外そうとすると、吸着ホルダや保持具を変形させてしまい、着脱が一層困難になるという問題があった。
さらに、吸着ホルダと保持具とを別体に形成したものも提案されているが、着脱操作が容易ではなく、吸着ホルダを壁から外した状態でしか着脱操作が行えない恐れがあるか、着脱操作が容易なものは、強度が不足して着脱操作において壊れやすいという問題があった。
【０００４】
本考案の目的は、保持具を簡単な構造で着脱可能とした吸着ホルダであって、着脱操作を容易にして保持具の洗浄及び交換作業を容易にするとともに、着脱操作等の際の変形の発生を抑制した吸着ホルダを提供することである。
【０００５】
【課題を解決するための手段】
上記目的を達成するために本考案の吸着ホルダは、請求項１において、略皿状に形成され、その中心に矩形開口が穿設された吸着基台と、該吸着基台の下部に垂下された結合片と、該結合片に上辺及び左右両辺を切り離して形成され、上端を押しボタン部と成し、押しボタン部の下方に係合部が形成された保持具が連結される連結部と、裏面に断面矩形の押圧ピンが突設され、該押圧ピンが上記吸着基台の矩形開口に挿入された真空吸着具とから成ることにより、壁面等の取付面の任意の位置に配置固定することが可能となるもので、吸着基台と保持具とが分離されているから取付面への着脱操作が容易になり、任意の保持具を装着することができるとともに、保持具の洗浄及び用途の変更や破損した場合等の交換が容易になる。
また、用途の変更や破損した場合等の交換の際に必要部分のみの交換で済み、全体を交換する必要がなく、コストの低減を図ることができる。
請求項２において、吸着基台の一方の面が凹面に形成され、この凹面側に真空吸着具が配設されており、該真空吸着具の吸着面と反対側の中心に断面矩形の押圧ピンが突設され、上記吸着基台の矩形開口に該押圧ピンが挿入され、上記押圧ピンの先端に固定爪がヒンジ結合され、該固定爪が起倒されることによって上記真空吸着具の吸着面を取付面に押圧又は離脱させることにより、真空吸着具の取付面への着脱操作が極めて容易且つ確実に行うことができる。
【０００６】
【考案の実施の形態】
図を参照して実施例を説明する。
図１乃至図３において、本考案の吸着ホルダは、壁面等に吸着固定される吸着基台１００と、該吸着基台１００の下端に垂下される結合体２００とを備えている。
吸着基台１００は、略皿状に形成されており、その中心に矩形開口１４０が穿設されるとともに、一方の凹面に形成された面側に真空吸着具（例えば、吸盤）２１０が配設される。
【０００７】
該真空吸着具２１０の吸着面と反対側面即ち裏面の中心に断面矩形の押圧ピン２２０が突設されており、該押圧ピン２２０が、上記吸着基台１００の矩形開口１４０を摺動自在に貫通して配設される。
吸着基台１００の矩形開口１４０を挟み、両側に下半部が高く段差が形成された摺動面１６０が設けられる。
【０００８】
上記押圧ピン２２０の先端に、回転軸が設けられて固定爪２３０が回動自在にヒンジ結合されており、上記摺動面１６０に当接する上記固定爪２３０の摺動端部に固定突起２３１が突設されている。
【０００９】
固定爪２３０が起倒（回動）されることによって該固定突起２３１が上記摺動面１６０に当接して摺動し、上記固定突起２３１が上記摺動面１６０の段差上にある時、即ち固定爪２３０が倒されている時は上記押圧ピン２２０を引っ張り、上記吸着基台１００を真空吸着具２１０側即ち固定面側に押圧する。
上記固定突起２３１が上記摺動面１６０の段差上から外れた時、即ち固定爪２３０が起こされている時は上記吸着基台１００を真空吸着具２１０から離し、真空吸着具２１０を取付面（壁面、タイル等）への着脱操作を容易にする。
【００１０】
上記結合体２００に、上辺及び左右両辺を切り離して弾撥部材が形成され、該弾撥部材の上端を押しボタン部１２０と成し、押しボタン部１２０の下方に係合溝１２１が設けられるとともに、押しボタン部１２０より下の位置に段差１５０を形成し、該段差１５０の下方を、後述する受け部に挿入する結合片１１０とする。
【００１１】
洗面用具、厨房用品等を収納又は支持する箱体様の保持具３００において、該保持具３００の背面３３０に、上記結合片１１０が挿入される結合受け溝３１０が形成される。
該結合受け部３１０は、断面コ字形の板が上記保持具３００の背面３３０外側に接合されて形成されるとともに、保持具３００の背面の結合受け部（本実施例では溝）３１０内側に係合突起３２０が形成され、結合片１１０が挿入された際に、弾撥部材の弾発力により、係合突起３２０が上記結合片１１０の結合受け部３１０に係合して固定される。
【００１２】
図４及び図５を参照して動作状態を説明すると、図４において、固定爪２３０が起こされて、吸着基台１００が真空吸着具２１０から離脱され、該真空吸着具２１０が取付面（壁面）に固定されていない状態を示している。
図５において、真空吸着具２１０を取付面の所定位置に合致させて取付面（壁面）に押圧し、吸着させて固定した後、固定爪２３０を倒して吸着基台１００と真空吸着具２１０を結合させる。
その後、保持具を吸着基台１００の結合体２００に結合する。
【００１３】
この構成により、壁面等の取付面の任意の位置に配置固定することが可能となるもので、吸着基台と保持具とが分離されているから取付面への着脱操作が容易になり、任意の保持具を装着することができるとともに、保持具の洗浄及び用途の変更や破損した場合等の交換が容易になる。
また、用途の変更や破損した場合等の交換の際に必要部分のみの交換で済み、全体を交換する必要がなく、コストの低減を図ることができる。
さらに、真空吸着具の取付面への着脱操作が極めて容易且つ確実に行うことができる。
【００１４】
図６において、他の実施例を説明すると、結合片１１０の先端に向けて軽斜したガイド面１４１が形成されている。
上記結合片１１０に設けられたガイド面１４１により、結合片１１０の先端が小さく形成されているから、上述の保持具の背面の結合受け部内への挿入操作を容易且つ確実に行うことができる。
【００１５】
保持具は図１、４，５に示すような深みのある箱型に限られるものではなく、図７に示すように、底部に排水孔を有する石鹸受けである保持具３００′に交換して装着することができる。
即ち、任意の用途に応じた形状の保持具を用いることができ、極めて大きな利用範囲を得ることができる。
【００１６】
【考案の効果】
本考案は、上述のとおり構成されているから次に述べる効果を奏する。
請求項１において、略皿状に形成され、その中心に矩形開口が穿設された吸着基台と、該吸着基台の下部に垂下された結合片と、該結合片に上辺及び左右両辺を切り離して形成され、上端を押しボタン部と成し、押しボタン部の下方に係合部が形成された保持具が連結される連結部と、裏面に断面矩形の押圧ピンが突設され、該押圧ピンが上記吸着基台の矩形開口に挿入された真空吸着具とから成ることにより、壁面等の取付面の任意の位置に配置固定することが可能となるもので、吸着基台と保持具とが分離されているから取付面への着脱操作が容易になり、任意の保持具を装着することができるとともに、保持具の洗浄及び用途の変更や破損した場合等の交換が容易になる。
また、用途の変更や破損した場合等の交換の際に必要部分のみの交換で済み、全体を交換する必要がなく、コストの低減を図ることができる。
請求項２において、吸着基台の一方の面が凹面に形成され、この凹面側に真空吸着具が配設されており、該真空吸着具の吸着面と反対側の中心に断面矩形の押圧ピンが突設され、上記吸着基台の矩形開口に該押圧ピンが挿入され、上記押圧ピンの先端に固定爪がヒンジ結合され、該固定爪が起倒されることによって上記真空吸着具の吸着面を取付面に押圧又は離脱させることにより、真空吸着具の取付面への着脱操作が極めて容易且つ確実に行うことができる。
【図面の簡単な説明】
【図１】本考案の実施例の斜視図である。
【図２】本考案の実施例の分解図である。
【図３】本考案の実施例の正面図である。
【図４】本考案の実施例の離脱時の動作説明図である。
【図５】本考案の実施例の吸着時の動作説明図である。
【図６】本考案の他の実施例の側面図である。
【図７】本考案の他の保持具を用いた実施例の斜視図である。
【符号の説明】
１００　吸着基台、１１０　結合片、１２０　押しボタン部、１２１　係合溝
１４０　矩形開口、１５０　段差、１６０　摺動面、２００　結合体
２１０　真空吸着具、２２０　押圧ピン、２３０　固定爪、２３１　固定突起
３００，３００′　保持具、３１０　結合受け部、３２０　係合突起
３３０　（保持具の）背面
【図１】
0003099941.tif 000003
【図２】
0003099941.tif 000004
【図３】
0003099941.tif 000005
【図４】
0003099941.tif 000006
【図５】
0003099941.tif 000007
【図６】
0003099941.tif 000008
【図７】
0003099941.tif 000009